(57)【要約】【課題】  既存の決済ネットワークを活用してオンラインによるプリペイド決済サービスを提供することが可能な、クレジットカード番号を用いたプリペイド決済を実行するためのプリペイド決済システムを提供する。【解決手段】  プリペイド決済システムは、クレジットカード発行会社より割り当てを受けたクレジットカード番号を記憶し、プリペイド決済を利用する顧客毎にクレジットカード番号を付与する。顧客が電子商取引等で代金支払を行う際には、付与されたクレジットカード番号を指定してクレジットカードの決済ネットワークを利用した決済を行い、オーソリゼーションの要求を受け付けたプリペイド決済システムでは、顧客からあらかじめ受け入れたプリペイド残高の範囲で売上を承認することによって、クレジットカードの発行を受けられない顧客であっても、支払代金の決済にクレジットカード番号を利用することが可能になる。【選択図】        図１
2011003037.tif 000002
【特許請求の範囲】
【請求項１】
クレジットカード番号を用いたプリペイド決済を実行するためのプリペイド決済システムであって、
クレジットカード発行会社が割り当てたプリペイド決済に利用可能なクレジットカード番号を記憶するクレジットカード番号記憶手段と、
プリペイド決済を利用する顧客毎に、前記クレジットカード番号記憶手段に記憶されたクレジットカード番号から選択されたクレジットカード番号を含む顧客情報と、顧客から受け入れたプリペイド残高を前記顧客情報と関連付けて記憶するプリペイド情報記憶手段と、
前記クレジットカード発行会社のコンピュータシステムから、顧客のクレジットカード番号と支払額が指定された支払に関するオーソリゼーションの要求を受信するオーソリゼーション受信手段と、
前記オーソリゼーションに指定されたクレジットカード番号に対応するプリペイド残高を前記プリペイド情報記憶手段から読み出して、前記オーソリゼーションに指定された支払額が前記プリペイド残高を超過しないかを確認するプリペイド残高確認手段と、
前記プリペイド残高確認手段で前記支払額が前記プリペイド残高を超過しないことが確認されると、前記オーソリゼーションの承認を前記クレジットカード発行会社のコンピュータシステムに返信するオーソリゼーション承認手段と、
前記プリペイド残高確認手段で前記支払額が前記プリペイド残高を超過しないことが確認されると、前記プリペイド情報記憶手段に記憶された前記クレジットカード番号に対応するプリペイド残高を、前記支払額を反映して更新するプリペイド残高更新手段と、
を備えることを特徴とするプリペイド決済システム。
【請求項２】
顧客が操作する顧客端末から、クレジットカード番号の変更要求を受信する変更要求受信手段と、
前記変更要求を受信すると、前記クレジットカード番号記憶手段から他の顧客に利用されていない新たなクレジットカード番号を選択し、前記プリペイド情報記憶手段に記憶された前記顧客の顧客情報に含まれるクレジットカード番号を前記新たなクレジットカード番号に更新するクレジットカード番号更新手段と、
を備えることを特徴とする請求項１記載のプリペイド決済システム。
【請求項３】
プリペイド決済の利用の申込者が操作する申込者端末から、プリペイド決済の利用の申込要求を受信する申込要求受信手段と、
前記申込者から前記プリペイド情報記憶手段に記憶される顧客情報の登録に必要な申込者情報を受信する申込者情報受信手段と、
金融機関のコンピュータシステムから、前記申込者からのプリペイド残高に充当するための入金情報を受信すると、前記クレジットカード番号記憶手段から他の顧客に利用されていない新たなクレジットカード番号を選択し、前記クレジットカード番号と前記申込者情報から前記申込者の顧客情報を生成して前記プリペイド情報記憶手段に記憶させる顧客情報登録手段と、
を備えることを特徴とする請求項１又は２記載のプリペイド決済システム。
【請求項４】
前記プリペイド情報記憶手段に記憶される顧客情報には、前記顧客のアドレス情報が含まれていて、
前記オーソリゼーション受信手段がオーソリゼーションの要求を受信すると、前記オーソリゼーションに指定されたクレジットカード番号に対応する顧客のアドレス情報を前記プリペイド情報記憶手段から読み出して、前記アドレス情報にプリペイド決済による支払要求が行われた通知を送信するプリペイド決済要求通知手段を備えること
を特徴とする請求項１乃至３いずれかに記載のプリペイド決済システム。
【請求項５】
前記プリペイド情報記憶手段に記憶される顧客情報には、前記顧客のアドレス情報が含まれていて、
前記プリペイド残高確認手段で前記支払額が前記プリペイド残高を超過しないことが確認されると、前記クレジットカード番号に対応する顧客のアドレス情報を前記プリペイド情報記憶手段から読み出して、前記アドレス情報にプリペイド決済が行われた通知を送信するプリペイド決済通知手段を備えること
を特徴とする請求項１乃至３いずれかに記載のプリペイド決済システム。
【請求項６】
クレジットカード発行会社が割り当てたプリペイド決済に利用可能なクレジットカード番号を記憶するクレジットカード番号記憶手段と、プリペイド決済を利用する顧客毎に、前記クレジットカード番号記憶手段に記憶されたクレジットカード番号から選択されたクレジットカード番号を含む顧客情報と、顧客から受け入れたプリペイド残高を前記顧客情報と関連付けて記憶するプリペイド情報記憶手段を備えたコンピュータシステムであるプリペイド決済システムによって実行される、クレジットカード番号を用いたプリペイド決済を実行するためのプリペイド決済の方法であって、
前記プリペイド決済システムが、前記クレジットカード発行会社のコンピュータシステムから、顧客のクレジットカード番号と支払額が指定された支払に関するオーソリゼーションの要求を受信するオーソリゼーション受信ステップと、
前記プリペイド決済システムが、前記オーソリゼーションに指定されたクレジットカード番号に対応するプリペイド残高を前記プリペイド情報記憶手段から読み出して、前記オーソリゼーションに指定された支払額が前記プリペイド残高を超過しないかを確認するプリペイド残高確認ステップと、
前記プリペイド決済システムが、前記プリペイド残高確認ステップで前記支払額が前記プリペイド残高を超過しないことが確認されると、前記オーソリゼーションの承認を前記クレジットカード発行会社のコンピュータシステムに返信するオーソリゼーション承認ステップと、
前記プリペイド決済システムが、前記プリペイド残高確認ステップで前記支払額が前記プリペイド残高を超過しないことが確認されると、前記プリペイド情報記憶手段に記憶された前記クレジットカード番号に対応するプリペイド残高を、前記支払額を反映して更新するプリペイド残高更新ステップと、
を有することを特徴とするプリペイド決済の方法。
【請求項７】
前記プリペイド決済システムが、顧客が操作する顧客端末から、クレジットカード番号の変更要求を受信する変更要求受信ステップと、
前記プリペイド決済システムが、前記変更要求を受信すると、前記クレジットカード番号記憶手段から他の顧客に利用されていない新たなクレジットカード番号を選択し、前記プリペイド情報記憶手段に記憶された前記顧客の顧客情報に含まれるクレジットカード番号を前記新たなクレジットカード番号に更新するクレジットカード番号更新ステップと、
を有することを特徴とする請求項６記載のプリペイド決済の方法。
【請求項８】
前記プリペイド決済システムが、プリペイド決済の利用の申込者が操作する申込者端末から、プリペイド決済の利用の申込要求を受信する申込要求受信ステップと、
前記プリペイド決済システムが、前記申込者から前記プリペイド情報記憶手段に記憶される顧客情報の登録に必要な申込者情報を受信する申込者情報受信ステップと、
前記プリペイド決済システムが、金融機関のコンピュータシステムから、前記申込者からのプリペイド残高に充当するための入金情報を受信すると、前記クレジットカード番号記憶手段から他の顧客に利用されていない新たなクレジットカード番号を選択し、前記クレジットカード番号と前記申込者情報から前記申込者の顧客情報を生成して前記プリペイド情報記憶手段に記憶させる顧客情報登録ステップと、
を有することを特徴とする請求項６又は７記載のプリペイド決済の方法。
【請求項９】
前記プリペイド情報記憶手段に記憶される顧客情報には、前記顧客のアドレス情報が含まれていて、
前記プリペイド決済システムが、前記オーソリゼーション受信ステップでオーソリゼーションの要求を受信すると、前記オーソリゼーションに指定されたクレジットカード番号に対応する顧客のアドレス情報を前記プリペイド情報記憶手段から読み出して、前記アドレス情報にプリペイド決済による支払要求が行われた通知を送信するプリペイド決済要求通知ステップを有すること
を特徴とする請求項６乃至８いずれかに記載のプリペイド決済の方法。
【請求項１０】
前記プリペイド情報記憶手段に記憶される顧客情報には、前記顧客のアドレス情報が含まれていて、
前記プリペイド決済システムが、前記プリペイド残高確認ステップで前記支払額が前記プリペイド残高を超過しないことが確認されると、前記クレジットカード番号に対応する顧客のアドレス情報を前記プリペイド情報記憶手段から読み出して、前記アドレス情報にプリペイド決済が行われた通知を送信するプリペイド決済通知ステップを有すること
を特徴とする請求項６乃至８いずれかに記載のプリペイド決済の方法。
【発明の詳細な説明】
【技術分野】
【０００１】
本発明は、クレジットカード番号を用いたプリペイド決済を実行するためのプリペイド決済システム及びプリペイド決済の方法に関するものである。
【背景技術】
【０００２】
日常的な商品の購入やサービスの利用などで発生する小口取引での支払代金の決済においては、現金の受渡しを必要としない支払方法として、プリペイドカードが広く普及している。一般に、プリペイドカードには残高の記録、更新が可能な磁気カード等の媒体が用いられるが、利用者は事前にプリペイド残高が記録された媒体を購入し、支払いを行う際にはプリペイドカードの媒体を提示して、媒体に記録された残高から支払代金が減額されることになる。
【０００３】
しかしながら、媒体に残高を記録する方式のプリペイドカードをインターネットを介した電子商取引の支払代金の決済に用いようとすると、利用者自身がプリペイドカードのリーダを用意し、ＰＣ等に接続してプリペイドカードを読み込ませることが必要になる。このような課題に対処するために、プリペイドの残高をオンラインで管理して、電子商取引等の支払代金の決済に用いる発明が開示されている（例えば、特許文献１参照）。
【０００４】
プリペイドカードの残高が不足した場合には、媒体を用いる方式であれば、新たな媒体を購入するのが一般的である。一方、プリペイド残高をオンラインで管理する方式では、新たに前払いを行うことによってプリペイド残高を増加させることが可能であり、このような追加の入金をクレジットカードによって決済することもできる（例えば、特許文献２参照）。
【先行技術文献】
【特許文献】
【０００５】
【特許文献１】特開２００３−１５０８７７号公報
【特許文献２】特開２００４−１７１５２７号公報
【発明の概要】
【発明が解決しようとする課題】
【０００６】
一般にインターネットを介した電子商取引では、小口取引における支払代金の決済手段が問題になることが多い。銀行振込の場合は原則として振込手数料が発生するため、購入代金によっては振込手数料のほうが高くなってしまうケースも生じ得る。クレジットカードによる決済だと利便性は高くなるものの、与信の問題からクレジットカードの発行を受けられない利用者が存在することや、クレジットカードを保有している利用者であっても、クレジットカード番号の流出等に不安を感じてクレジットカードによる決済を好まない場合があることが問題となる。
【０００７】
このような事情を考えると、上記のプリペイド残高をオンラインで管理する方式は、電子商取引における小口取引の支払代金の決済に適したものといえるが、インターネット上の店舗においてプリペイドによる決済を可能にするためには、各々の店舗がプリペイド決済のためのネットワークに参加しなければならない。利用者からみると、同じプリペイドの仕組みをできるだけ多くの店舗で利用できることが好ましいが、インターネット上に存在する店舗の多くが参加するような決済ネットワークを構築することは、現実的には極めて困難である。
【０００８】
本発明は、このような課題に対応するためになされてものであり、既存の決済ネットワークを活用して、オンラインによるプリペイド決済サービスを提供することが可能な、クレジットカード番号を用いたプリペイド決済を実行するためのプリペイド決済システム及びプリペイド決済の方法を提供することを目的とするものである。
【課題を解決するための手段】
【０００９】
このような課題を解決するために、本発明では、クレジットカード発行会社よりクレジットカード番号の割り当てを受けたプリペイド決済サービスの提供者が、プリペイド決済を利用する顧客毎にクレジットカード番号を付与し、顧客が電子商取引等で代金支払を行う際には、付与されたクレジットカード番号を指定してクレジットカードの決済ネットワークを利用した決済を行う。クレジットカードの決済ネットワークを介してオーソリゼーションの要求を受け付けたプリペイド決済サービスの提供者は、顧客からあらかじめ受け入れてあるプリペイド残高の範囲で売上を承認することによって、クレジットカードの発行を受けられない顧客であっても、支払代金の決済にクレジットカード番号を利用することが可能になる。
【００１０】
このように、本発明は、クレジットカード番号を用いたプリペイド決済によって、クレジットカードが利用できる多くの加盟店を対象にしたプリペイド決済サービスを提供することを可能にするものであり、以下の構成を備えることを特徴としている。
【００１１】
本発明は、クレジットカード番号を用いたプリペイド決済を実行するためのプリペイド決済システムであって、クレジットカード発行会社が割り当てたプリペイド決済に利用可能なクレジットカード番号を記憶するクレジットカード番号記憶手段と、プリペイド決済を利用する顧客毎に、前記クレジットカード番号記憶手段に記憶されたクレジットカード番号から選択されたクレジットカード番号を含む顧客情報と、顧客から受け入れたプリペイド残高を前記顧客情報と関連付けて記憶するプリペイド情報記憶手段と、前記クレジットカード発行会社のコンピュータシステムから、顧客のクレジットカード番号と支払額が指定された支払に関するオーソリゼーションの要求を受信するオーソリゼーション受信手段と、前記オーソリゼーションに指定されたクレジットカード番号に対応するプリペイド残高を前記プリペイド情報記憶手段から読み出して、前記オーソリゼーションに指定された支払額が前記プリペイド残高を超過しないかを確認するプリペイド残高確認手段と、前記プリペイド残高確認手段で前記支払額が前記プリペイド残高を超過しないことが確認されると、前記オーソリゼーションの承認を前記クレジットカード発行会社のコンピュータシステムに返信するオーソリゼーション承認手段と、前記プリペイド残高確認手段で前記支払額が前記プリペイド残高を超過しないことが確認されると、前記プリペイド情報記憶手段に記憶された前記クレジットカード番号に対応するプリペイド残高を、前記支払額を反映して更新するプリペイド残高更新手段と、を備えることを特徴とするプリペイド決済システムである。
【００１２】
このように、本発明は、顧客から受け入れたプリペイド残高を、クレジットカード発行会社が割り当てたプリペイド決済に利用可能なクレジットカード番号と関連付けて管理し、顧客がプリペイド決済によって支払いを行う際には、オーソリゼーションの要求に対してプリペイド残高の範囲内で売上承認を行うように構成することで、クレジットカード番号を用いたプリペイド決済を可能にしている。
【００１３】
また、本発明は、顧客が操作する顧客端末から、クレジットカード番号の変更要求を受信する変更要求受信手段と、前記変更要求を受信すると、前記クレジットカード番号記憶手段から他の顧客に利用されていない新たなクレジットカード番号を選択し、前記プリペイド情報記憶手段に記憶された前記顧客の顧客情報に含まれるクレジットカード番号を前記新たなクレジットカード番号に更新するクレジットカード番号更新手段と、を備えることを特徴とすることもできる。
【００１４】
このように構成すると、顧客は自らが利用しているクレジットカード番号を他に利用可能なクレジットカード番号に変更することができるため、クレジットカード番号の流出等のおそれが生じた場合、あるいは定期的に変更を行うことによって、不正利用に対する安全性を高めることが可能になる。
【００１５】
さらに、本発明は、プリペイド決済の利用の申込者が操作する申込者端末から、プリペイド決済の利用の申込要求を受信する申込要求受信手段と、前記申込者から前記プリペイド情報記憶手段に記憶される顧客情報の登録に必要な申込者情報を受信する申込者情報受信手段と、金融機関のコンピュータシステムから、前記申込者からのプリペイド残高に充当するための入金情報を受信すると、前記クレジットカード番号記憶手段から他の顧客に利用されていない新たなクレジットカード番号を選択し、前記クレジットカード番号と前記申込者情報から前記申込者の顧客情報を生成して前記プリペイド情報記憶手段に記憶させる顧客情報登録手段と、を備えることを特徴としてもよい。
【００１６】
このように構成すると、プリペイドに充当するための入金を確認した顧客に対して、プリペイド決済に利用可能なクレジットカード番号が自動的に付与されるので、プリペイド決済に利用可能なクレジットカード番号を効率的に管理することが可能になる。
【００１７】
さらに、本発明は、前記プリペイド情報記憶手段に記憶される顧客情報には、前記顧客のアドレス情報が含まれていて、前記オーソリゼーション受信手段がオーソリゼーションの要求を受信すると、前記オーソリゼーションに指定されたクレジットカード番号に対応する顧客のアドレス情報を前記プリペイド情報記憶手段から読み出して、前記アドレス情報にプリペイド決済による支払要求が行われた通知を送信するプリペイド決済要求通知手段を備えることを特徴としてもよい。
【００１８】
あるいは、前記プリペイド情報記憶手段に記憶される顧客情報には、前記顧客のアドレス情報が含まれていて、前記プリペイド残高確認手段で前記支払額が前記プリペイド残高を超過しないことが確認されると、前記クレジットカード番号に対応する顧客のアドレス情報を前記プリペイド情報記憶手段から読み出して、前記アドレス情報にプリペイド決済が行われた通知を送信するプリペイド決済通知手段を備えることを特徴としてもよい。
【００１９】
これらの構成においては、プリペイド決済を利用する顧客への通知先を把握しておくことができるため、プリペイドによる決済が行われると速やかに顧客への通知を行うことによって、クレジットカード番号の流出等による不正利用が発生した際には、顧客は速やかにその事実を了知することが可能になる。
【００２０】
本発明は、本発明にかかるプリペイド決済システムによって実行されるプリペイド決済の方法として特定することもできる。
【００２１】
本発明にかかるプリペイド決済の方法は、クレジットカード発行会社が割り当てたプリペイド決済に利用可能なクレジットカード番号を記憶するクレジットカード番号記憶手段と、プリペイド決済を利用する顧客毎に、前記クレジットカード番号記憶手段に記憶されたクレジットカード番号から選択されたクレジットカード番号を含む顧客情報と、顧客から受け入れたプリペイド残高を前記顧客情報と関連付けて記憶するプリペイド情報記憶手段を備えたコンピュータシステムであるプリペイド決済システムによって実行される、クレジットカード番号を用いたプリペイド決済を実行するためのプリペイド決済の方法であって、前記プリペイド決済システムが、前記クレジットカード発行会社のコンピュータシステムから、顧客のクレジットカード番号と支払額が指定された支払に関するオーソリゼーションの要求を受信するオーソリゼーション受信ステップと、前記プリペイド決済システムが、前記オーソリゼーションに指定されたクレジットカード番号に対応するプリペイド残高を前記プリペイド情報記憶手段から読み出して、前記オーソリゼーションに指定された支払額が前記プリペイド残高を超過しないかを確認するプリペイド残高確認ステップと、前記プリペイド決済システムが、前記プリペイド残高確認ステップで前記支払額が前記プリペイド残高を超過しないことが確認されると、前記オーソリゼーションの承認を前記クレジットカード発行会社のコンピュータシステムに返信するオーソリゼーション承認ステップと、前記プリペイド決済システムが、前記プリペイド残高確認ステップで前記支払額が前記プリペイド残高を超過しないことが確認されると、前記プリペイド情報記憶手段に記憶された前記クレジットカード番号に対応するプリペイド残高を、前記支払額を反映して更新するプリペイド残高更新ステップと、を有することを特徴とするプリペイド決済の方法である。
【００２２】
また、本発明にかかるプリペイド決済の方法は、前記プリペイド決済システムが、顧客が操作する顧客端末から、クレジットカード番号の変更要求を受信する変更要求受信ステップと、前記プリペイド決済システムが、前記変更要求を受信すると、前記クレジットカード番号記憶手段から他の顧客に利用されていない新たなクレジットカード番号を選択し、前記プリペイド情報記憶手段に記憶された前記顧客の顧客情報に含まれるクレジットカード番号を前記新たなクレジットカード番号に更新するクレジットカード番号更新ステップと、を有することを特徴とすることもできる。
【００２３】
さらに、本発明にかかるプリペイド決済の方法は、前記プリペイド決済システムが、プリペイド決済の利用の申込者が操作する申込者端末から、プリペイド決済の利用の申込要求を受信する申込要求受信ステップと、前記プリペイド決済システムが、前記申込者から前記プリペイド情報記憶手段に記憶される顧客情報の登録に必要な申込者情報を受信する申込者情報受信ステップと、前記プリペイド決済システムが、金融機関のコンピュータシステムから、前記申込者からのプリペイド残高に充当するための入金情報を受信すると、前記クレジットカード番号記憶手段から他の顧客に利用されていない新たなクレジットカード番号を選択し、前記クレジットカード番号と前記申込者情報から前記申込者の顧客情報を生成して前記プリペイド情報記憶手段に記憶させる顧客情報登録ステップと、を有することを特徴としてもよい。
【００２４】
さらに、本発明にかかるプリペイド決済の方法は、前記プリペイド情報記憶手段に記憶される顧客情報には、前記顧客のアドレス情報が含まれていて、前記プリペイド決済システムが、前記オーソリゼーション受信ステップでオーソリゼーションの要求を受信すると、前記オーソリゼーションに指定されたクレジットカード番号に対応する顧客のアドレス情報を前記プリペイド情報記憶手段から読み出して、前記アドレス情報にプリペイド決済による支払要求が行われた通知を送信するプリペイド決済要求通知ステップを有することを特徴としてもよい。
【００２５】
あるいは、前記プリペイド情報記憶手段に記憶される顧客情報には、前記顧客のアドレス情報が含まれていて、前記プリペイド決済システムが、前記プリペイド残高確認ステップで前記支払額が前記プリペイド残高を超過しないことが確認されると、前記クレジットカード番号に対応する顧客のアドレス情報を前記プリペイド情報記憶手段から読み出して、前記アドレス情報にプリペイド決済が行われた通知を送信するプリペイド決済通知ステップを有することを特徴としてもよい。
【発明の効果】
【００２６】
本発明によって、クレジットカード発行会社から割り当てられたクレジットカード番号を顧客に付与し、多くの加盟店を有するクレジットカードの決済ネットワークを活用することによって、利便性の高いオンラインによるプリペイド決済サービスを提供することが可能になる。
【００２７】
支払いを受ける加盟店にとって、本発明による決済は通常のクレジットカード決済と異なるものではないので、振込による決済に比べると送金手数料の面で優位であり、特にインターネットを介した電子商取引における小口取引の支払代金の決済に好適である。また、クレジットカード番号を利用した決済スキームではあるが、本発明によると、クレジットカードの発行を受けられない顧客であってもサービスの利用が可能である。
【図面の簡単な説明】
【００２８】
【図１】本発明にかかるプリペイド決済システムの概要を示す図である。
【図２】本発明にかかるプリペイド決済システムの構成を示すブロック図である。
【図３】本発明にかかるプリペイド決済システムにおいて実行されるオーソリゼーションの一例を示す第１の図である。
【図４】本発明にかかるプリペイド決済システムにおいて実行されるオーソリゼーションの一例を示す第２の図である。
【図５】本発明にかかるプリペイド決済システムにおける顧客マスタの一例を示す図である。
【図６】本発明にかかるプリペイド決済システムにおいて、顧客登録の要求を受け付けるフローを示すフローチャートである。
【図７】本発明にかかるプリペイド決済システムにおいて、利用金融機関情報を受け付けるフローを示すフローチャートである。
【図８】本発明にかかるプリペイド決済システムにおいて、プリペイド残高に充当するための入金を受け付けるフローを示すフローチャートである。
【図９】本発明にかかるプリペイド決済システムにおいて、顧客によるクレジットカード番号の確認を受け付けるフローを示すフローチャートである。
【図１０】本発明にかかるプリペイド決済システムにおいて、オーソリゼーションを実行するフローを示すフローチャートである。
【図１１】本発明のクレジットカード発行会社システムにおいて、オーソリゼーションを実行するフローを示すフローチャートである。
【発明を実施するための形態】
【００２９】
本発明を実施するための形態について、図面を用いて以下に詳細に説明する。尚、以下の説明では、本発明の実施形態の一例を示したものであって、本発明はかかる実施形態に限定されるものではない。
【００３０】
図１を用いて、本発明にかかるプリペイド決済システムによる、クレジットカード番号を用いたプリペイド決済の概要について説明する。
【００３１】
本発明にかかるプリペイド決済システムを運用するプリペイド決済サービス提供者は、クレジットカード発行会社よりクレジットカード番号（セキュリティーコードを含む）の割り当てを受け、プリペイド決済に利用可能なクレジットカード番号としてデータベース等に記憶させる。これらのクレジットカード番号を用いた支払いは、プリペイド決済サービス提供者に対して請求されることになるので、実際にこれらのクレジットカード番号を利用する顧客の信用力の如何に関わらず、プリペイド決済サービス提供者の信用力に対してクレジットカード番号が発行されることになる。
【００３２】
クレジットカード番号を用いたプリペイド決済のサービスを利用したい顧客は、プリペイド決済サービス提供者にプリペイド残高に充当するための資金を送金すると、プリペイド決済サービス提供者からプリペイド決済に利用可能なクレジットカード番号のいずれか一つを付与される。このクレジットカード番号が顧客情報の一部として、プリペイド残高と関連付けてデータベース等に記録される。
【００３３】
顧客がインターネットを介した電子商取引で商品の購入等を行う場合に、インターネット上の店舗がクレジットカードの加盟店である場合には、支払代金をクレジットカードで決済できることが通常である。そこで、クレジットカード番号を用いたプリペイド決済のサービスを利用する顧客は、代金の支払方法としてクレジットカード払いを選択し、プリペイド決済サービス提供者から付与されたクレジットカード番号を入力する。
【００３４】
加盟店では入力されたクレジットカード番号を受け付けて、クレジットカードの決済ネットワークを介してオーソリゼーション（クレジットカードの信用照会）を行う。オーソリゼーションでは、クレジットカードの加盟店を統括する加盟店契約会社（アクワイアラー）を経由して、クレジットカードを発行したクレジットカード発行会社（イシュアー）に対して、クレジットカード番号と支払額を指定したオンラインでの照会が行われるが、本発明ではさらにクレジットカード発行会社を経由して、クレジットカード番号を割り当てたプリペイド決済サービス提供者のプリペイド決済システムに対して、オンラインでの照会が行われる。
【００３５】
オーソリゼーションの要求を受け付けたプリペイド決済システムでは、オーソリゼーションに指定された支払額が、オーソリゼーションに指定されたクレジットカード番号に対応するプリペイド残高を超過しないかを確認し、プリペイド残高の範囲内であれば、プリペイド残高から支払額を減じるとともに、オーソリゼーションの要求に対して売上を承認することを、クレジットカード発行会社、加盟店契約会社経由で加盟店に返信する。これを受信した加盟店では、支払代金はクレジットカードで決済されたものとして、顧客との売買契約等を成立させる。
【００３６】
以上のスキームによって、信用力等の問題からクレジットカードの発行を受けられない顧客であっても、クレジットカード番号を用いたプリペイド決済のサービスを利用することによって、インターネットを介した電子商取引等の支払代金の決済において、クレジットカード払いを選択することが可能になる。
【００３７】
また、本スキームにおいて、プリペイド決済サービス提供者には、クレジットカード発行会社よりプリペイド決済に利用可能な複数のクレジットカード番号が割り当てられているので、顧客の要求に応じて利用するクレジットカード番号を変更することも可能である。クレジットカード番号の変更は、クレジットカード番号を盗まれたおそれがある場合などに有効であるが、さらにプリペイド決済が行われた際に顧客に通知を行うこととすれば、不正利用に対する安全性を高めることができる。
【００３８】
図２は、本発明にかかるプリペイド決済システムの構成を示している。プリペイド決済システム１０は、情報登録部１１、残高確認部１２、入金処理部１３、通知送信部１４、オーソリゼーション処理部１５、プリペイド口座データベース１６、カード番号記憶部１７が備えられている。
【００３９】
ＣＰＵ、メインメモリ、ＨＤＤを備えたコンピュータから構成されるプリペイド決済システム１０は、ＨＤＤに格納されたアプリケーションプログラムを動作させて所定の機能を実現する場合には、メインメモリにアプリケーションプログラムが読み出されて、ＣＰＵによって演算処理が実行される。尚、コンピュータの物理的な構成は特に限定されるものではなく、プリペイド決済システム１０が１台のコンピュータの一部の機能として実現されるものであってもよいし、複数のコンピュータが連動してプリペイド決済システム１０の機能を実現するものであってもよい。
【００４０】
プリペイド決済システム１０の情報登録部１１、残高確認部１２、入金処理部１３、通知送信部１４、オーソリゼーション処理部１５は、いずれも機能的に特定されるものであって、これらの機能に対応するアプリケーションプログラムがＨＤＤからメインメモリに読み出され、ＣＰＵで演算処理が実行されることによって、各々の機能が実現される。
【００４１】
プリペイド口座データベース１６、カード番号記憶部１７には、それぞれＨＤＤの所定の記憶領域が割り当てられる。尚、先に説明したように、プリペイド決済システム１０のコンピュータの物理的な構成は特に限定されるものではないので、例えば、プリペイド口座データベース１６が、オーソリゼーション処理部１５等による処理を実行するコンピュータとは異なるデータベースサーバに設けられるものであってもよい。
【００４２】
情報登録部１１では、インターネット等を介してアクセスした顧客端末２０からの入力を受け付けた顧客情報を、プリペイド口座データベース１６の顧客マスタ１６１に登録する。また、顧客がクレジットカード番号を変更したい場合には、カード番号記憶部１７から未利用のクレジットカード番号を読み出して選択し、プリペイド口座データベース１６の顧客マスタ１６１に記憶されたクレジットカード番号（セキュリティーコードを含む）を更新する。
【００４３】
残高確認部１２では、顧客が最新のプリペイド残高を確認したい場合に、インターネット等を介してアクセスした顧客端末２０からの要求に応じて、プリペイド口座データベース１６の残高テーブル１６２から顧客の最新のプリペイド残高を読み出して、顧客端末２０に送信する。
【００４４】
入金処理部１３では、顧客が銀行振込等でプリペイド残高に充当する資金を入金すると、銀行システム６０から入金情報を受け付けて、入金額を反映してプリペイド口座データベース１６の残高テーブル１６２のプリペイド残高を更新する。尚、プリペイド決済サービスの利用開始時に最初の入金を行った顧客に対しては、当該顧客に付与するクレジットカード番号としてカード番号記憶部１７から未利用のクレジットカード番号（セキュリティーコードを含む）を読み出して、プリペイド口座データベース１６の顧客マスタ１６１に新たなクレジットカード番号を登録する。
【００４５】
通知送信部１４は、入金確認、オーソリゼーションの実行などが行われた際に、プリペイド口座データベース１６の顧客マスタ１６１から電子メールアドレス等の顧客への通知先アドレスを読み出して、電子メール等で顧客への通知を送信する。
【００４６】
電子商取引等の決済のために顧客が顧客端末２０からインターネット経由で加盟店サーバ３０にクレジットカード番号を送信すると、加盟店サーバ３０から加盟店契約会社システム４０、クレジットカード発行会社システム５０のオーソリゼーション処理部５１経由でオーソリゼーションの要求が送信され、オーソリゼーション処理部１５がこれを受け付ける。
【００４７】
オーソリゼーション処理部１５では、オーソリゼーションに指定されたクレジットカード番号のプリペイド残高をプリペイド口座データベース１６の残高テーブル１６２から読み出し、オーソリゼーションに指定された支払額がこれを超過しないかを確認する。超過しなければプリペイド口座データベース１６の残高テーブル１６２に記憶されたプリペイド残高を、支払額を反映して更新するとともに、クレジットカード発行会社システム５０に売上承認を送信する。
【００４８】
クレジットカード発行会社システム５０のオーソリゼーション処理部５１では、プリペイド決済システム１０のオーソリゼーション処理部１５から売上承認を受信すると、加盟店契約会社システム４０経由で加盟店サーバ３０に売上承認を送信するとともに、オーソリゼーションに指定された支払額を、クレジットカードデータベース５２のオーソリゼーションに指定されたクレジットカード番号に対する請求額として記録する。
【００４９】
尚、クレジットカードデータベース５２には、上記の請求額を含めたクレジットカード発行会社がプリペイド決済サービス提供者に対して発行したクレジットカードに関する情報が記憶されるが、各々のクレジットカードについての実質的な与信管理は、プリペイド残高を管理することによってプリペイド決済サービス提供者によって行われているので、クレジットカード発行会社が各々のクレジットカードの利用限度額をどのように設定するかは、特に限定されるものではない。例えば、プリペイド決済サービス提供者の信用力を考慮した利用限度額を設定してもよいし、プリペイド決済サービス提供者の信用力が高い場合には利用限度額を設けないこととしてもよい。また、プリペイド決済サービス提供者が請求額を支払う頻度を高めることによって、クレジットカード発行会社の与信管理を行うこととしてもよい。
【００５０】
以上のシステム構成を前提として、本発明における顧客登録、オーソリゼーションのフローについて、図６〜図１０のフローチャートを用いて説明する。尚、これらのフローの説明においては、図３、図４に示したオーソリゼーションのフローの例、図５に示した顧客マスタの例を用いることとする。
【００５１】
図６のフローチャートは、本発明にかかるプリペイド決済システムにおいて、顧客登録の要求を受け付けるフローを示している。プリペイド決済サービスの利用を希望する顧客が操作する顧客端末２０から、インターネット経由等で情報登録部１１が新たな顧客登録の要求を受信し（Ｓ０１）、さらに顧客端末２０に入力された顧客の氏名、電子メールアドレス等の顧客情報を受信する（Ｓ０２）。これらの情報をプリペイド口座データベース１６に新たな顧客マスタ１６１を設けて登録し、顧客ＩＤ（この段階では電子メールアドレスを仮ＩＤとして用いることとしてもよい）と仮パスワードを発行して、顧客の登録した電子メールアドレス宛に送信する（Ｓ０３）。
【００５２】
図７のフローチャートは、本発明にかかるプリペイド決済システムにおいて、利用金融機関情報を受け付けるフローを示している。顧客ＩＤと仮パスワードを受信した顧客端末２０では、プリペイド決済システム１０にアクセスして、これらの情報を入力してサービスにログインする。プリペイド決済システム１０で顧客ＩＤと仮パスワードを受信すると（Ｓ１１）、プリペイド口座データベース１６の顧客マスタ１６１を参照して、顧客ＩＤと仮パスワードの一致を確認する（Ｓ１２）。一致が確認されれば、新たに顧客が指定するパスワードの入力を受け付けて（Ｓ１３）、情報登録部１１によってプリペイド口座データベース１６の顧客マスタ１６１の仮パスワードがこのパスワードに更新され（Ｓ１４）、本パスワードとして利用される。
【００５３】
次に、顧客端末２０に入力された顧客の住所等の詳細情報、顧客が資金の入金に利用する金融機関の情報等を受信して、これらの情報をプリペイド口座データベース１６の顧客マスタ１６１に登録する（Ｓ１５）。さらに、顧客が資金の入金の際に使用する入金用ＩＤを発行して（入金受付時に顧客を特定するキーとなるものであればよいので、顧客の電話番号を用いることとしてもよい）、プリペイド口座データベース１６の顧客マスタ１６１に登録するとともに、ログインしている顧客端末２０の画面に、この入金用ＩＤを表示させる（Ｓ１６）。
【００５４】
図８のフローチャートは、本発明にかかるプリペイド決済システムにおいて、プリペイド残高に充当するための入金を受け付けるフローを示している。顧客は銀行振込によってプリペイド決済サービス提供者が指定する銀行口座に、プリペイド残高に充当するための資金を送金するが、振込の際には、利用金融機関情報登録時に示された入金用ＩＤを入力する。入金を確認した銀行の銀行システム６０からは、プリペイド決済システム１０に入金情報が送信されるが、この入金情報には入金経路や入金額の他に、顧客が入力した入金用ＩＤが含まれている。
【００５５】
プリペイド決済システム１０では、銀行システム６０から入金処理部１３が入金情報を受信すると（Ｓ２１）、入金情報に含まれる入金用ＩＤに対応するプリペイド口座データベース１６の顧客マスタ１６１を特定し、入金経路と利用金融機関、顧客の氏名の一致等を確認する（Ｓ２２）。これらが一致する場合には、プリペイド決済サービスの利用を希望して顧客情報を登録した顧客からの入金と判断され、クレジットカード番号を利用可能にするための以下の処理を行う。
【００５６】
まず、この顧客が利用するクレジットカード番号として、カード番号記憶部１７から未利用のクレジットカード番号（セキュリティーコードを含む）の一つを選択して読み出す（Ｓ２３）。このクレジットカード番号にかかるクレジットカード情報として、顧客のカナ氏名、有効期限を設定し（Ｓ２４）、これらのクレジットカード情報をプリペイド口座データベース１６の顧客マスタ１６１に、さらに入金額をプリペイド口座データベース１６の残高テーブル１６２に、それぞれを関連付けて登録する（Ｓ２５）。図５は、顧客マスタ１６１の一例で、顧客端末２０から入力を受け付けた顧客情報や利用金融機関情報の他に、顧客に付与されたクレジットカード番号等のクレジットカード情報も記憶されている。
【００５７】
尚、クレジットカードの有効期限の設定方法は特に限定されるものではないが、例えばクレジットカード番号を付与してから１年間という期間が自動的に設定されることとすればよい。これらの処理が終了すると、プリペイド口座データベース１６の顧客マスタ１６１に登録された顧客の電子メールアドレスを読み出して、クレジットカード番号が付与されたことを通知する電子メールが送信される（Ｓ２６）。
【００５８】
図９のフローチャートは、本発明にかかるプリペイド決済システムにおいて、顧客によるクレジットカード番号の確認を受け付けるフローを示している。クレジットカード番号が付与された通知を受信した顧客の顧客端末２０から、インターネット経由等で情報登録部１１がクレジットカード情報の確認要求を受信すると（Ｓ３１）、プリペイド口座データベース１６の顧客マスタ１６１に登録されたクレジットカード番号、顧客のカナ氏名、有効期限などのクレジットカード情報を読み出して、顧客端末２０に送信する（Ｓ３２）。
【００５９】
顧客端末２０にはクレジットカード情報が表示され、顧客が画面に表示された「確認」ボタンを押下する等の操作を行うと、顧客がクレジットカード番号等を確認したことを示す情報が送信され、この情報の受信により顧客の確認を検知した情報登録部１１では（Ｓ３３）、プリペイド口座データベース１６の顧客マスタ１６１に登録されたクレジットカード番号を利用可能な状態に設定する（Ｓ３４）。
【００６０】
ここでクレジットカード番号を利用可能な状態に設定する方法は特に限定されるものではないが、図５の例のように、顧客マスタ１６１に状態が「有効」であることを示すフラグを記録し、オーソリゼーションの際にはこのフラグを確認して有効な状態にない場合には、売上を非承認とすることとすればよい。又は、有効となっているクレジットカード番号をクレジットカード発行会社システム５０に送信し、クレジットカードデータベース５２にこの状態を記憶させておくことによって、オーソリゼーションの際には有効ではないクレジットカード番号をクレジットカード発行会社システム５０において判別できるよう構成してもよい。
【００６１】
尚、ここで有効になったクレジットカード番号は利用中の状態となるため、このクレジットカード番号が誤って他の顧客に付与されてしまうことがないように、例えば、カード番号記憶部１７の当該クレジットカード番号について設けられたレコードに、利用中であると記憶させることとしてもよい。このように構成すると、新規の顧客にクレジットカード番号を付与する際や、顧客の要求によってクレジットカード番号を変更する際には、未利用のクレジットカード番号を容易に判別することが可能になる。
【００６２】
図１０、図１１のフローチャートを用いて、本発明にかかるプリペイド決済システムとクレジットカード発行会社システムのそれぞれにおいて、オーソリゼーションを実行するフローについて説明する。図３、図４は、本発明にかかるプリペイド決済システムによって実行されるオーソリゼーションの一例なので、この例についても適宜言及する。
【００６３】
クレジットカード番号を付与された顧客は、インターネットを介した電子商取引で商品の購入等を行う際に、購入する店舗がクレジットカードの加盟店であれば、支払代金の決済方法にクレジットカード決済を選択することができる。図３の例のように、顧客が１００円の代金を支払う場合、銀行振込であれば購入代金より振込手数料のほうが高くなってしまうこともあるため、クレジットカード決済を選択するのが有利になる。
【００６４】
加盟店では、ＰＯＳターミナル等からクレジットカードの決済ネットワークに接続し、加盟店契約会社システム４０を介してクレジットカード発行会社システム５０に対して、クレジットカード番号と支払額を指定してオーソリゼーションを要求する。通常のクレジットカードであれば、クレジットカード発行会社システム５０のクレジットカードデータベース５２において顧客毎の利用限度額が管理されているので、オーソリゼーションにおいて売上を承認するかどうかの判断は、クレジットカード発行会社システム５０において行われる。
【００６５】
ところが、本発明においては、プリペイド決済サービス提供者が管理するプリペイド決済システム１０のプリペイド口座データベース１６の残高テーブル１６２において、顧客からあらかじめ送金を受けたプリペイド残高が管理されており、売上を承認するかどうかはプリペイド残高によって判断されるため、オーソリゼーションの要求はクレジットカード発行会社システム５０からさらにプリペイド決済システム１０に回送される。かかるオーソリゼーションの要求を受信したプリペイド決済システム１０における処理フローが、図１０のフローチャートである。
【００６６】
クレジットカード発行会社システム５０のオーソリゼーション処理部５１から、オーソリゼーション処理部１５がオーソリゼーションの要求を受信すると（Ｓ４１）、オーソリゼーションに指定されたクレジットカード番号が有効なものであるかを、プリペイド口座データベース１６の顧客マスタ１６１に対応するクレジットカード番号が登録されているか、登録されている場合は有効な状態かどうかから確認する（Ｓ４２）。
【００６７】
クレジットカード番号が有効な状態にあることが確認されると、クレジットカード番号から特定される顧客のプリペイド残高をプリペイド口座データベース１６の残高テーブル１６２から読み出して、オーソリゼーションに指定された支払額と対比する（Ｓ４３）。クレジットカード発行会社システム５０に対しては、支払額がプリペイド残高を超過しなければ売上承認（Ｓ４４）、超過する場合には売上非承認（Ｓ４６）の回答が返信される。
【００６８】
支払額がプリペイド残高を超過せず売上を承認する場合には、さらにプリペイド口座データベース１６の残高テーブル１６２に記憶されたプリペイド残高を、売上を承認した支払額を反映して更新する（Ｓ４５）。これらのオーソリゼーションの処理を終えると、プリペイド口座データベース１６の顧客マスタ１６１に登録された顧客の電子メールアドレスを読み出して、プリペイド決済が行われたことを通知する電子メールが送信される（Ｓ４７）。尚、この通知については、オーソリゼーションの要求を受信したタイミング（Ｓ４１）で、速やかに送信することとしてもよい。
【００６９】
図３の例であれば、１００円の支払についてのオーソリゼーションの要求が、加盟店契約会社（アクワイアラー）、クレジットカード発行会社（イシュアー）のクレジットカード決済のネットワーク経由でプリペイド決済サービス提供者に送信され、対応するクレジットカード番号のプリペイド残高との対比が行われている。プリペイド残高は１０，０００円となっているので決済は可能であり、売上が承認される。
【００７０】
さらに、図４の例のように、支払額の１００円がプリペイド残高から引き落とされ、決済後のプリペイド残高は９，９００円に更新されるとともに、オーソリゼーションの要求に対する１００円の売上承認が、クレジットカード発行会社（イシュアー）、加盟店契約会社（アクワイアラー）のクレジットカード決済のネットワーク経由で加盟店に送信され、加盟店ではクレジット決済による支払が完了する。
【００７１】
また、このようなオーソリゼーションのフローにおいて、クレジットカード発行会社システム５０のオーソリゼーション処理部５１では、図１１のフローチャートのようにプリペイド決済システム１０と交信して、オーソリゼーションに必要な処理を行う。
【００７２】
加盟店契約会社システム４０を介して加盟店からのオーソリゼーションの要求を受信すると、この要求をプリペイド決済システム１０に送信する（Ｓ５１）。プリペイド決済システム１０からは、売上承認又は売上非承認の返信があるので（Ｓ５２）、売上承認である場合には、加盟店契約会社システム４０を介して加盟店サーバに売上承認の通知を送信するとともに（Ｓ５３）、クレジットカードデータベース５２にはクレジットカードの請求額を記録する（Ｓ５４）。売上が非承認である場合には、加盟店契約会社システム４０を介して加盟店サーバに売上非承認の通知を送信する（Ｓ５５）。
【００７３】
図４の例であれば、１００円の売上が承認されたので、クレジットカード発行会社のデータベースにおいて、対応するクレジットカード番号に請求額１００円が記録される。ここに記録された請求額の請求方法は特に限定されるものではないが、例えば、締め日になると対象期間中の請求分が集計されて、クレジットカードの発行先であるプリペイド決済サービス提供者に対して請求される。
【符号の説明】
【００７４】
１０    プリペイド決済システム
１１    情報登録部
１２    残高確認部
１３    入金処理部
１４    通知送信部
１５    オーソリゼーション処理部
１６    プリペイド口座データベース
１６１  顧客マスタ
１６２  残高テーブル
１７    カード番号記憶部
２０    顧客端末
３０    加盟店サーバ
４０    加盟店契約会社システム
５０    クレジットカード発行会社システム
５１    オーソリゼーション処理部
５２    クレジットカードデータベース
６０    銀行システム
【図１】
2011003037.tif 000003
【図２】
2011003037.tif 000004
【図３】
2011003037.tif 000005
【図４】
2011003037.tif 000006
【図５】
2011003037.tif 000007
【図６】
2011003037.tif 000008
【図７】
2011003037.tif 000009
【図８】
2011003037.tif 000010
【図９】
2011003037.tif 000011
【図１０】
2011003037.tif 000012
【図１１】
2011003037.tif 000013